(57)【特許請求の範囲】
【請求項１】
取付面に固定されランプを装備し周縁に周縁壁部を有する角形の器具本体と、前記周縁壁部の内に挿入される角形の開口部とこの開口部の外側方に突出形成される外鍔状部とこの外鍔状部に連続形成されるランプを覆う透光面部とを有するグローブとを備えた直付型照明器具であって、前記グローブの開口部の少なくとも一辺に沿って取付けられて被係止部を有する係止具と、この係止具に対応する前記器具本体の周縁壁部に前記グローブの開口部の周縁に沿う方向に移動可能に取付けられて係止部を有する係合具とを備え、前記係合具が移動して前記係止部と前記被係止部が係止することにより前記グローブが支持され、かつ係止状態が解除するように前記係合具を移動させる操作部を、前記器具本体の外側から操作できるように設け、係止状態が解除する状態で、前記係止具が係止状態の位置よりも下方の位置で前記係合具に再度係止するように、前記係合具の前記係止部の突出方向と反対側の下部に前記被係止部が係止する突部を設けたことを特徴とする照明器具。
【発明の詳細な説明】
【０００１】
【発明の属する技術分野】
この発明は、トリムレス（枠なし）カバーを有する照明器具に関するものである。
【０００２】
【従来の技術】
従来よりあるトリムレスカバー付照明器具とは、図２０（ａ），（ｂ）に示すような照明器具のことであり、枠なしの樹脂カバー付器具をいう。図２０（ａ）は会議室等に使用される照明器具、図２０（ｂ）は住宅用の照明器具である。５０は本体、５１は樹脂カバー（グローブ）である。この樹脂カバーの取付構造として、図２０（ｂ）に示した丸形の住宅用においては、樹脂カバーを回転させて取付けたり、プッシュプル方式等多くの公知技術が存在する。また、図２０（ａ）に示した４０Ｗサイズの直管蛍光灯を用いた角形の器具においては、図２１に示すような落とし込み取付け、図２２に示すようなキックばね方式、図２３に示すような樹脂抱え方式等が開示されている。図２１では、樹脂カバー５１を本体５０の外周縁部に落とし込み支持させる。図２２（ａ），（ｂ）において、５２はばね取付金具、５３はキックばね、５４はばね受けである。この場合、圧縮したキックばね５３をばね受け５４内で復帰させることにより係止状態となる。図２３において、５５はばね、５６は支持部材である。この場合、樹脂カバー５１を支持部材５６で支持できるようにばね５５が付勢されている。
【０００３】
【発明が解決しようとする課題】
しかしながら、上記従来の方式であると、樹脂カバー着脱時及び保持時に樹脂カバーを持ち、引き下げたり押し上げたりするため、図２４に示すように、樹脂カバー５１の張出し部（Ｐ点）に応力が生じる。一方、従来の角形でトリムレスの樹脂カバーにおいては、図２５に示すように、張出しＤが２０〜２５ｍｍ程度であり、高さＨも７０ｍｍ程度であるため、樹脂成形後の肉厚ｔ1 が確保されやすく前述した応力に対し強度上問題がなかった。しかし、図２６（ａ），（ｂ）に示すように、従来にない薄型（高さＨが４０ｍｍ程度）で、張出しＤが大きい（３５〜４０ｍｍ程度）さらに大型の（Ｈｆ３２Ｗ４灯用）樹脂カバー付の照明器具を開発するにあたり、従来の取付方式であると、樹脂成形後の肉厚ｔ2 が確保され難く（０．５〜１ｍｍ程度）、張出しが大きいため張出し部（Ｐ点）に生じる応力が大きくなり、強度上の問題（クラック、割れ等）が生じる。
【０００４】
したがって、この発明の目的は、前述の問題を解決するため、グローブ着脱時または保持時において、グローブに生じる応力を小さくすることができる照明器具を提供することである。
【０００５】
【課題を解決するための手段】
上記課題を解決するためにこの発明の請求項１記載の照明器具は、取付面に固定されランプを装備し周縁に周縁壁部を有する角形の器具本体と、前記周縁壁部の内に挿入される角形の開口部とこの開口部の外側方に突出形成される外鍔状部とこの外鍔状部に連続形成されるランプを覆う透光面部とを有するグローブとを備えた直付型照明器具であって、前記グローブの開口部の少なくとも一辺に沿って取付けられて被係止部を有する係止具と、この係止具に対応する前記器具本体の周縁壁部に前記グローブの開口部の周縁に沿う方向に移動可能に取付けられて係止部を有する係合具とを備え、前記係合具が移動して前記係止部と前記被係止部が係止することにより前記グローブが支持され、かつ係止状態が解除するように前記係合具を移動させる操作部を、前記器具本体の外側から操作できるように設け、係止状態が解除する状態で、前記係止具が係止状態の位置よりも下方の位置で前記係合具に再度係止するように、前記係合具の前記係止部の突出方向と反対側の下部に前記被係止部が係止する突部を設けたことを特徴とする。
【０００６】
このように、グローブの開口部の少なくとも一辺に沿って取付けられて被係止部を有する係止具と、この係止具に対応する器具本体の周縁壁部にグローブの開口部の周縁に沿う方向に移動可能に取付けられて係止部を有する係合具とを備え、係合具が移動して係止部と被係止部が係止することによりグローブが支持され、かつ係止状態が解除するように係合具を移動させる操作部を、器具本体の外側から操作できるように設けたので、グローブ側の係止具と器具本体側の係合具を係止させることで係止状態となり、また操作部を操作することにより係止状態を解除できる。このため、グローブの取付けまたは取外し時にグローブを引き下げたり押し上げたりする必要がなく、グローブに大きなストレスをかけなくてすみ、グローブを着脱または保持する際に生じていた応力を低減できる。また、係止状態が解除する状態で、係止具が係止状態の位置よりも下方の位置で係合具に再度係止するように、係合具の係止部の突出方向と反対側の下部に被係止部が係止する突部を設けたので、部品点数を増やさずに二重安全構造が可能となる。
【０００７】
【発明の実施の形態】
この発明の第１の実施の形態の照明器具を図１〜図４に基づいて説明する。
【０００８】
図１はこの発明の第１の実施の形態の照明器具の要部分解斜視図、図２はこの発明の実施の形態の照明器具の斜視図、図３は図２のＡ−Ａ断面図、図４はこの発明の第１の実施の形態におけるグローブの取付状態を示す説明図である。
【０００９】
図１〜図３において、１は照明器具本体、２はプラスチック製のグローブ（トリムレス樹脂カバー）、３は係合具（樹脂カバー保持金具）、４は係止具（受金具）である。器具本体１は、天井等の取付面に固定されランプ１２を装備し周縁に周縁壁部１ａを有する角形の部材である。グローブ２は、周縁壁部１ａの内に挿入される角形の開口部２ｂと、この開口部２ｂの外側方に突出形成される外鍔状部２ａと、この外鍔状部２ａに連続形成されるランプ１２を覆う透光面部２ｃとを有する。グローブ２の寸法形状は図２６と同様に縦寸法５００〜５５０ｍｍ程度、横寸法１３００ｍｍ程度で、外鍔状部２ａの張出しは３５〜４０ｍｍと大きくしてある。係合具３は、グローブ２の開口部２ｂの周縁に沿う方向に移動可能なように器具本体１の周縁壁部１ａの内面に沿って取付けられている。係合具３の形状は略溝形であり、その対向する一片から下方に係止部３ｂが垂下され、他片から側方に操作部３ａが突設される。係止部３ｂはグローブ２を吊持できるように略鉤形に形成されている。操作部３ａは周縁壁部１ａに設けた開口１ｂから突出し器具本体１の外側から操作可能である。
【００１０】
係止具４は、グローブ２の開口部２ｂの少なくとも一辺に沿って取付けられた略剛体状の部材である。この場合、係止具４は２枚の板金により外鍔状部２ａを挟み込んだ状態でビス５を締め付けることによりグローブ２に取付けられる。また、係止具４の２枚の板金が重なり合った水平部分には角穴の被係止部４ａが設けられ、係止部３ｂが被係止部４ａに引っ掛かることでグローブ２を保持する。すなわち、係合具３の移動によって係止部３ｂと被係止部４ａが係脱自在に係止するとともに、操作部３ａを操作して係合具３をスライドさせることで係止部３ｂと被係止部４ａの係止状態が解除される。
【００１１】
つぎに上記構成の照明器具のグローブの取付けおよび取外しについて説明する。グローブ２の取付け時には、グローブ２を持ち上げて係止部３ｂを角穴の被係止部４ａに入れて引っ掛ける。このとき、図４に示すように、係止部３ｂに傾斜したガイド部３ｄが形成されているので、このガイド部３ｄに被係止部４ａが当接することで係合具３がＢ方向にスライドして係止部３ｂが被係止部４ａに円滑に入る。この後、操作部３ａを操作し係合具３をＣ方向にスライドさせ係止部３ｂと被係止部４ａを係止することによりグローブ２が支持される。また、グローブ２を取外すときは操作部３ａを逆方向に操作して係止部３ｂと被係止部４ａの係止状態を解除すればよい。
【００１２】
以上のようにこの実施の形態によれば、グローブ２側の係止具４と器具本体１側の係合具３を係止させることで係止状態となり、また操作部３ａを操作することにより係止状態を解除できる。このため、グローブ２の取付けまたは取外し時にグローブ２を引き下げたり押し上げたりする必要がなく、グローブ２に大きなストレスをかけなくてすみ、グローブ２を着脱または保持する際に生じていた応力を低減できる。これは薄型で外鍔状部の張出しが大きい角形グローブ等、成形品自体の強度が期待できないものについて有用であり、このようなグローブを用いて薄型照明器具を開発する場合の強度上の問題を改善できる。
【００１３】
また、図５〜図７はグローブ２の取外し時に落下することを防止した安全構造を示す。図５（ａ）はこの発明の第１の実施の形態の変形例の要部分解斜視図、（ｂ），（ｃ）はその安全構造の説明図である。図５（ａ）に示すように、被係止部４ａの隣に小穴４ｂを設け、係止部３ｂに凹部３ｅを設けている。この場合、図５（ｂ）の係止状態から、係合具３をスライドさせると、被係止部４ａと小穴４ｂの間の部分が凹部３ｅに嵌まり１度引っ掛かる。そのためグローブ２を持ち上げながら係合具３をスライドさせて取外す。図６（ａ）はこの発明の第１の実施の形態の別の変形例の要部分解斜視図、（ｂ），（ｃ）はその安全構造の説明図である。図６（ａ）に示すように、係止部３ｂの係止と反対側の下部に突部３ｆを設けている。この場合、図６（ｂ）の係止状態から、係合具３をスライドさせると、突部３ｆが被係止部４ａに係止しグローブ２が仮吊り状態になり、操作部３ａを放すと開放される。図７（ａ）はこの発明の第１の実施の形態のさらに別の変形例、（ｂ），（ｃ）はその安全構造の説明図である。図７（ａ）に示すように、係止部３ｂが２つの段部３ｇからなる。この場合、図７（ａ）の係止状態から、係合具３をスライドさせると、下側の段部３ｇで仮吊り状態となり、さらにスライドさせると開放する。これらの構造による部品点数を増やさずに二重安全構造が可能となる。
【００１４】
この発明の第２の実施の形態の照明器具を図８に基づいて説明する。図８はこの発明の第２の実施の形態の照明器具の要部斜視図である。
【００１５】
図８において、６はばね、６ａはばね止め金具である。ばね止め金具６ａは器具本体１側に固定されている。このばね止め金具６ａにばね６の一端が固定され、他端が係合具３に固定されている。これにより、ばね６は係止部３ｂと被係止部４ａが係止するようにＣ方向に係合具３を弾発付勢している。したがって、この実施の形態では、グローブ２の取付け時においてグローブ２を器具本体１に押し付ける際に、ガイド部３ｄに被係止部４ａが当接することで、係合具３が係止具４との係止位置から相対的に逃げるように移動後、係止状態に復帰する。この実施の形態によれば、不意にグローブ２が落下するおそれがなくなる。その他の構成効果は、第１の実施の形態と同様である。
【００１６】
この発明の第３の実施の形態の照明器具を図９に基づいて説明する。図９はこの発明の第３の実施の形態の照明器具の要部斜視図である。
【００１７】
図９において、７は操作レバー（操作部）、８，９は係合具、１０，１１はばね、１２，１３はばね止め金具である。操作レバー７は一端が器具本体１の開口１ｂより突出し、器具本体１の外側から操作可能である（図１参照）。他端は三角形状で斜辺７ａ，７ｂを有する。係合具８，９は、第１の実施の形態と同様に被係止部４ａ，４ａに係止する係止部８ａ，９ａを有する。ばね１０，１１とばね止め金具１２，１３の取付構造は第２の実施の形態と同様であるが、ばね１０，１１は係合具８，９を近接する方向に弾発付勢し、これによって係止部８ａ，９ａと被係止部４ａ，４ａがそれぞれ係止する。また、操作レバー７の斜辺７ａ，７ｂが係合具８，９の対向する端部に当接し、操作レバー７を器具本体１側へ押すことにより係合具８，９が遠ざかるようにスライドし、係止部８ａ，９ａと被係止部４ａ，４ａの係止状態が解除される。また、操作レバー７を放すとばね１０，１１により係止状態に復帰する。その他の構成効果は、第１の実施の形態と同様である。
【００１８】
この発明の第４の実施の形態の照明器具を図１０〜図１３に基づいて説明する。図１０はこの発明の第４の実施の形態の照明器具の断面側面図、図１１は図１０のＤ部の拡大図、図１２はこの発明の第４の実施の形態においてグローブ取外しの動作説明図、図１３は図１２の次の状態の動作説明図である。
【００１９】
図１０において、Ｅ部は第１〜３の実施の形態に示した構造と同様である。１４，１６は引掛け金具、１５は連結材、１７は安定器、１８は反射板、１９はランプ，２４は受け具である。図１０および図１１に示すように、一方の引掛け金具１４はグローブ２側に取付けられ、他方の引掛け金具１６は器具本体１側に取付けられている。受け具２４は係止具４と対向側に位置し、係止具４と同様にグローブ２の開口部２ｂに固定される。この場合、一方の引掛け金具１４は受け具２４に固着され、受け具２４より上方に突出した部分を略Ｕ形に折曲げて屈曲した部分に保持部１４ａが形成してある。また、他方の引掛け金具１６は器具本体１の周縁壁部１ａに固着され、下端に保持部１６ａが形成してある。そして、連結材１５の両端に設けた軸１５ａ，１５ａが、保持部１４ａ，１６ａに挿入されて回動自在に保持される。また、連結材１５は線材や板材などであり、グローブ２を取付位置に保持できる材質で形成される。
【００２０】
つぎに上記構成の照明器具のグローブの取外し動作について説明する。図１０の状態からＥ部の係止を解除すると、図１２および図１３に示すように、引掛け金具１４，１６と連結材１５は蝶番のように動作し、グローブ２が仮吊り状態となる。これは器具本体１より外鍔状部２ａの張出しの大きいグローブ２の際に特に効果がある。すなわち、図１４はこの発明の実施の形態と比較するために示した従来例であり、６０は器具本体、６１はグローブである。図１４に示す通り、Ｆ部を支点としてグローブ６１を開くとグローブ６１が天井に当たってしまい、グローブ６１が開かず割れてしまうことがあるが、上記実施の形態の構成によりこのような問題を解消できる。なお、仮吊り構造を蝶番のように折り畳むことにより、本体高さＨ1 も低くできる。また、軸１５ａと保持部１４ａは着脱自在であり、保持部１４ａから軸１５ａを取外すことでグローブ２を器具本体１から分離することができる。
【００２１】
この発明の第５の実施の形態の照明器具を図１５〜図１９に基づいて説明する。図１５はこの発明の第５の実施の形態の照明器具の断面側面図、図１６は図１５の要部拡大斜視図、図１７はこの発明の第５の実施の形態においてグローブの取外しの動作説明図、図１８は図１７の次の状態の動作説明図、図１９は図１８の次の状態の動作説明図である。
【００２２】
図１５および図１６において、Ｅ部は第１〜３の実施の形態に示した構造と同様である。１７は保持金具、１８は受金具、１９は仮吊用線材である。保持金具１７は器具本体１側に取付けられ、受金具１８はグローブ２側に取付けられる。この場合、保持金具１７は器具本体１の周縁壁部１ａに固定され、水平部１７ａとこれに連続し下方へ傾斜した傾斜部１７ｂとからなる。受金具１８は係止具４と対向側に位置し、係止具４と同様にグローブ２の開口部２ｂに固定される。また、受金具１８の垂直部分に保持金具１７を挿入可能な開口部１８ａが設けてある。仮吊用線材１９は、一端が受金具１８に着脱自在に取付けられ、他端が器具本体１に固定される。
【００２３】
つぎに上記構成の照明器具のグローブの取付けおよび取外し動作について説明する。グローブ２の取付けの際には、まず保持金具１７を受金具１８の開口部１８ａに挿入させるようにグローブ２を器具本体１の周縁壁部１ａに近づける。このとき、開口部１８ａが水平部１７ａに位置することで、受金具１８が保持金具１７に支持される。その後、反対側のＥ部を第１〜３の実施の形態の構造により取付ける。グローブ２を外す際には、図１５の状態からＥ部側の係止を解除すれば、グローブ２の自重により図１７〜図１９に示すように、受金具１８が保持金具１７の傾斜部１７ｂに沿って下方へ移動していき反対側は自然に外れる。開口部１８ａが保持金具１７から抜けると仮吊用線材１９でグローブ２が吊持され、これにより安全性、作業性が向上する。この構成によれば、器具本体１から張出しが大きいグローブ２を取外す際の問題が解消できる。
【００２４】
以上のように第４，５の実施の形態では、仮吊機能により安全性、メンテナンス時の作業性が向上する。また、器具本体１の高さを低くでき、張出しの大きいリエンドグローブでも取扱いに支障をきたさない。
【００２５】
【発明の効果】
この発明の照明器具によれば、グローブの開口部の少なくとも一辺に沿って取付けられて被係止部を有する係止具と、この係止具に対応する器具本体の周縁壁部にグローブの開口部の周縁に沿う方向に移動可能に取付けられて係止部を有する係合具とを備え、係合具が移動して係止部と被係止部が係止することによりグローブが支持され、かつ係止状態が解除するように係合具を移動させる操作部を、器具本体の外側から操作できるように設けたので、グローブ側の係止具と器具本体側の係合具を係止させることで係止状態となり、また操作部を操作することにより係止状態を解除できる。このため、グローブの取付けまたは取外し時にグローブを引き下げたり押し上げたりする必要がなく、グローブに大きなストレスをかけなくてすみ、グローブを着脱または保持する際に生じていた応力を低減できる。これは薄型で外鍔状部の張出しが大きい角形グローブ等、成形品自体の強度が期待できないものについて有用であり、このようなグローブを用いて薄型照明器具を開発する場合の強度上の問題を改善できる。また、係止状態が解除する状態で、係止具が係止状態の位置よりも下方の位置で係合具に再度係止するように、係合具の係止部の突出方向と反対側の下部に被係止部が係止する突部を設けたので、部品点数を増やさずに二重安全構造が可能となる。
【図面の簡単な説明】
【図１】この発明の第１の実施の形態の照明器具の要部分解斜視図である。
【図２】この発明の実施の形態の照明器具の斜視図である。
【図３】図２のＡ−Ａ断面図である。
【図４】この発明の第１の実施の形態におけるグローブの取付状態を示す説明図である。
【図５】（ａ）はこの発明の第１の実施の形態の変形例の要部分解斜視図、（ｂ），（ｃ）はその安全構造の説明図である。
【図６】（ａ）はこの発明の第１の実施の形態の別の変形例の要部分解斜視図、（ｂ），（ｃ）はその安全構造の説明図である。
【図７】（ａ）はこの発明の第１の実施の形態のさらに別の変形例の要部分解斜視図、（ｂ），（ｃ）はその安全構造の説明図である。
【図８】この発明の第２の実施の形態の照明器具の要部斜視図である。
【図９】この発明の第３の実施の形態の照明器具の要部斜視図である。
【図１０】この発明の第４の実施の形態の照明器具の断面側面図である。
【図１１】図１１は図１０のＤ部の拡大図である。
【図１２】この発明の第４の実施の形態においてグローブ取外しの動作説明図である。
【図１３】図１２の次の状態の動作説明図である。
【図１４】この発明の実施の形態と比較するために示した従来例の説明図である。
【図１５】この発明の第５の実施の形態の照明器具の断面側面図である。
【図１６】図１５の要部拡大斜視図である。
【図１７】この発明の第５の実施の形態においてグローブの取外しの動作説明図である。
【図１８】図１７の次の状態の動作説明図である。
【図１９】図１８の次の状態の動作説明図である。
【図２０】（ａ）は照明器具の斜視図、（ｂ）は照明器具の別の例の斜視図である。
【図２１】従来の落とし込み方式の支持構造を示す説明図である。
【図２２】従来のキック方式の支持構造を示す説明図である。
【図２３】従来の樹脂抱え方式の支持構造を示す説明図である。
【図２４】従来の問題点を示す説明図である。
【図２５】従来の照明器具の断面図である。
【図２６】（ａ）は従来にない薄型の照明器具の斜視図、（ｂ）はその断面図である。
【符号の説明】
１  器具本体
１ａ  周縁壁部
２  グローブ
２ａ  外鍔状部
２ｂ  開口部
３  係合具
３ａ  操作部
３ｂ  係止部
４    係止具
４ａ  被係止部
７    操作部
８，９  係合具
８ａ，９ａ  係止部
【図１】
0003856966.tif 000002
【図２】
0003856966.tif 000003
【図３】
0003856966.tif 000004
【図４】
0003856966.tif 000005
【図５】
0003856966.tif 000006
【図６】
0003856966.tif 000007
【図７】
0003856966.tif 000008
【図８】
0003856966.tif 000009
【図９】
0003856966.tif 000010
【図１０】
0003856966.tif 000011
【図１１】
0003856966.tif 000012
【図１２】
0003856966.tif 000013
【図１３】
0003856966.tif 000014
【図１４】
0003856966.tif 000015
【図１５】
0003856966.tif 000016
【図１６】
0003856966.tif 000017
【図１７】
0003856966.tif 000018
【図１８】
0003856966.tif 000019
【図１９】
0003856966.tif 000020
【図２０】
0003856966.tif 000021
【図２１】
0003856966.tif 000022
【図２２】
0003856966.tif 000023
【図２３】
0003856966.tif 000024
【図２４】
0003856966.tif 000025
【図２５】
0003856966.tif 000026
【図２６】
0003856966.tif 000027